(57)【特許請求の範囲】
【請求項１】
ケースと、
コイルが巻回されたコアと、
前記コアと磁気的に結合される磁石と、
前記磁石が配設されたヨークと、
前記ヨークを支持すると共に、弾性変形することにより前記磁石を前記コアに対して変位させる弾性部材と、
操作されて移動するスイッチ部材と、
前記スイッチ部材と前記ヨークとの係合及び係合解除を行うことにより、前記コアと前記磁石が第１の磁束状態を形成する第１の位置と、前記コアと前記磁石が前記第１の磁束状態と異なる磁束状態を形成する第２の位置との間で、前記弾性部材の弾性力により前記ヨークを移動させるヨーク駆動機構と、
を有し、
前記ヨーク駆動機構は、
前記スイッチ部材に移動可能に、かつ前記ヨークに係合可能に設けられた操作部材と、
前記ヨークが前記第２の位置に移動した際、前記操作部材が前記ヨークから離脱するよう前記操作部材を移動付勢する移動付勢部材と、
を有することを特徴とする発電スイッチ。
【請求項２】
前記移動付勢部材は、前記ケースに形成された傾斜壁であることを特徴とする請求項１記載の発電スイッチ。
【請求項３】
前記操作部材は、前記ヨークとの係合位置にローラを有することを特徴とする請求項１又は２記載の発電スイッチ。
【発明の詳細な説明】
【技術分野】
【０００１】
本発明は、発電スイッチに関する。
【背景技術】
【０００２】
例えば、照明器具等の電気機器をＯＮ／ＯＦＦするスイッチとして無線スイッチが知られている。無線スイッチは手元にスイッチを置けるため、壁等に固定された据付スイッチに比べて便利である。
【０００３】
この無線スイッチの電源としては乾電池を用いることが考えられるが、乾電池を用いた場合にはその交換が面倒であり使用性が悪い。このため、無線スイッチ内に発電装置を設け、無線スイッチの使用性を向上させることが提案されている（特許文献１参照）。
【０００４】
従来、このような小型電子機器に搭載される発電スイッチとしては、特許文献１に示されるようなコイルの内部で円盤状の磁石を回転させることによりコイルを貫く磁束を変化させ、これにより発電を行う発電スイッチが知られている。
【先行技術文献】
【特許文献】
【０００５】
【特許文献１】特開２００５−１０２４１３号公報
【発明の概要】
【発明が解決しようとする課題】
【０００６】
発電スイッチではコイル内で磁束変化を瞬時に行うことにより誘導起電力が発生する。特許文献１に開示された発電スイッチにおいて安定した誘導起電力を発生させるためには、コイルと接続されたシャフトを速い回転速度で回転させ、コイル内で磁石を速く回転させる必要がある。
【０００７】
この発電スイッチをスイッチに適用し、スイッチ操作者の操作力によりシャフトを回転させる構成とすると、操作者により操作力にバラツキがあるため、安定した誘導起電力を得ることができないという問題点があった。また、操作者はスイッチを指で操作するが、この指の力ではスイッチの電源となる誘導起電力まで瞬時にシャフトを回転させるのは困難である。更に、複数のコイルの内部で磁石を回転させる発電スイッチを用いた場合、発電スイッチが大型化してしまうという問題点もあった。
【０００８】
本発明のある態様の例示的な目的のひとつは、小型化を図りつつ安定した発電を行うことができる発電スイッチを提供することにある。
【課題を解決するための手段】
【０００９】
本発明のある態様によると、
ケース（２０）と、
コイル（８１Ａ，８１Ｂ）が巻回されたコア（８２Ａ，８２Ｂ）と、
前記コア（８２Ａ，８２Ｂ）と磁気的に結合される磁石（９４〜９７）と、
前記磁石（９４〜９７）が配設されたヨーク（９１）と、
前記ヨーク（９１）を支持すると共に、弾性変形することにより前記磁石（９４〜９７）を前記コア（８２Ａ，８２Ｂ）に対して変位させる弾性部材（９２）と、
操作されて移動するスイッチ部材（４０）と、
前記スイッチ部材（４０）と前記ヨーク（９１）との係合及び係合解除を行うことにより、前記コア（８２Ａ，８２Ｂ）と前記磁石（９４〜９７）が第１の磁束状態を形成する第１の位置と、前記コア（８２Ａ，８２Ｂ）と前記磁石（９４〜９７）が前記第１の磁束状態と異なる磁束状態を形成する第２の位置との間で、前記弾性部材（９２）の弾性力により前記ヨーク（９１）を移動させるヨーク駆動機構（１１０）と、
を備え、
前記ヨーク駆動機構（１１０）は、
前記スイッチ部材（４０）に移動可能に、かつ前記ヨーク（９１）に係合可能に設けられた操作部材（４２）と、
前記ヨーク（９１）が前記第２の位置に移動した際、前記操作部材（４２）が前記ヨーク（９１）から離脱するよう前記操作部材（４２）を移動付勢する移動付勢部材と、
を備える。
【００１０】
なお、上記参照符号は、あくまでも参考であり、これによって、特許請求の範囲の記載が限定されるものではない。
【発明の効果】
【００１１】
本発明のある態様によると、小型化を図りつつ安定した発電を行うことができる。
【図面の簡単な説明】
【００１２】
【図１】第１実施形態による発電スイッチの分解斜視図である。
【図２】第１実施形態による発電スイッチの斜視図である。
【図３】第１実施形態による発電スイッチを示しており、（Ａ）は平面図、（Ｂ）は正面図、（Ｃ）は右側面図である。
【図４】第１実施形態による発電スイッチのトップカバーを取り外した状態の斜視図である。
【図５】第１実施形態による発電スイッチのトップカバーを取り外した状態の平面図である。
【図６】第１実施形態による発電スイッチのケース本体の斜視図である。
【図７】第１実施形態による発電スイッチのスイッチユニットを示しており、（Ａ）は上方から見た斜視図、（Ｂ）は下方から見た斜視図である。
【図８】第１実施形態による発電スイッチのスイッチユニットの分解斜視図である。
【図９】第１実施形態による発電スイッチの磁石ユニットの斜視図である。
【図１０】第１実施形態による発電スイッチの磁石ユニットの分解斜視図である。
【図１１】第１実施形態による発電スイッチの発電の原理を説明するための図（その１）であり、（Ａ）はコイルユニット及び磁石ユニットの平面図、（Ｂ）は（Ａ）のＡ−Ａ線に沿う断面図である。
【図１２】第１実施形態による発電スイッチの発電の原理を説明するための図（その２）であり、（Ａ）はコイルユニット及び磁石ユニットの平面図、（Ｂ）は（Ａ）のＡ−Ａ線に沿う断面図である。
【図１３】第１実施形態による発電スイッチの発電の原理を説明するための図（その３）であり、（Ａ）はコイルユニット及び磁石ユニットの平面図、（Ｂ）は（Ａ）のＡ−Ａ線に沿う断面図である。
【図１４】第１実施形態による発電スイッチの動作を説明するための図（その１）であり、（Ａ）は断面図、（Ｂ）は操作部材の動作を拡大して示す図である。
【図１５】第１実施形態による発電スイッチの動作を説明するための図（その２）であり、（Ａ）は断面図、（Ｂ）は操作部材の動作を拡大して示す図である。
【図１６】第１実施形態による発電スイッチの動作を説明するための図（その３）であり、（Ａ）は断面図、（Ｂ）は操作部材の動作を拡大して示す図である。
【図１７】第１実施形態による発電スイッチの動作を説明するための図（その４）であり、（Ａ）は断面図、（Ｂ）は操作部材の動作を拡大して示す図である。
【図１８】第１実施形態による発電スイッチの動作を説明するための図（その５）であり、（Ａ）は断面図、（Ｂ）は操作部材の動作を拡大して示す図である。
【図１９】第１実施形態による発電スイッチの動作を説明するための図（その６）であり、（Ａ）は断面図、（Ｂ）は操作部材の動作を拡大して示す図である。
【図２０】第２実施形態による発電スイッチの斜視図である。
【図２１】第２実施形態による発電スイッチの要部を拡大して示す分解斜視図である。
【図２２】第３実施形態による発電スイッチの斜視図である。
【図２３】第３実施形態による発電スイッチの要部を拡大して示す分解斜視図である。
【発明を実施するための形態】
【００１３】
次に、添付の図面を参照しながら、本発明の限定的でない例示の実施形態について説明する。
【００１４】
なお、添付の全図面の中の記載で、同一又は対応する部材又は部品には、同一又は対応する参照符号を付し、重複する説明を省略する。また、図面は、特に指定しない限り、部材もしくは部品間の相対比を示すことを目的としない。従って、具体的な寸法は、以下の限定的でない実施形態に照らし、当業者により決定することができる。
【００１５】
また、以下説明する実施形態は、発明を限定するものではなく例示であって、実施形態に記述される全ての特徴やその組み合わせは、必ずしも発明の本質的なものであるとは限らない。
【００１６】
図１〜図３は、発電スイッチの一実施形態を説明する図である。
【００１７】
図１は、発電スイッチ１０Ａの分解斜視図であり、図２は発電スイッチ１０Ａの外観を示す斜視図であり、図３（Ａ）は発電スイッチ１０Ａの平面図であり、図３（Ｂ）は発電スイッチ１０Ａの正面図であり、図３（Ｃ）は発電スイッチ１０Ａの右側面図である。
【００１８】
発電スイッチ１０Ａは、ケース２０、スイッチユニット４０、コイルユニット８０Ａ，８０Ｂ、磁石ユニット９０、ヨーク駆動機構１１０、回路基板１２０を有している。
【００１９】
発電スイッチ１０Ａは、スイッチユニット４０を操作することによりコイルユニット８０Ａ，８０Ｂ及び磁石ユニット９０で発電を行い、発電された電力を用いて回路基板１２０において通信を行う構成とされている。以下、発電スイッチ１０Ａの各構成について説明する。
【００２０】
ケース２０は樹脂成型品であり、ケース本体２１、トップカバー２２、及びボトムカバー２３を有している。
【００２１】
ケース本体２１は、図６に拡大して示すように、スイッチユニット装着部２５、コイルユニット装着部２６Ａ，２６Ｂ、磁石ユニット装着部２７、立設壁２８Ａ，２８Ｂ及び傾斜壁２９Ａ，２９Ｂ（ヨーク駆動機構１１０の一部を構成する）が形成されている。
【００２２】
スイッチユニット装着部２５の一方の端部（図中、矢印Ｘ２方向側の端部）の両側には、軸受部３０Ａ，３０Ｂが形成されている。また、スイッチユニット装着部２５の他方の端部（図中、矢印Ｘ１方向側の端部）には、立設壁２８Ａ，２８Ｂ及び傾斜壁２９Ａ，２９Ｂが形成されている。また、ケース本体２１の四隅位置には、ネジ孔３１が形成されている。
【００２３】
図４及び図５は、スイッチユニット４０、コイルユニット８０Ａ，８０Ｂ、磁石ユニット９０、ヨーク駆動機構１１０等を搭載したケース本体２１を示している。
【００２４】
スイッチユニット装着部２５には、スイッチユニット４０が装着される。コイルユニット装着部２６Ａにはコイルユニット８０Ａが装着され、コイルユニット装着部２６Ｂにはコイルユニット８０Ｂが装着される。磁石ユニット装着部２７には磁石ユニット９０が装着される。
【００２５】
トップカバー２２は、一対のトップカバー半体２２Ａ，２２Ｂにより構成されている。トップカバー半体２２Ａ，２２Ｂには貫通孔３４が形成されており、この貫通孔３４にネジ３５を挿通しケース本体２１のネジ孔３１に螺着することにより、トップカバー半体２２Ａ，２２Ｂはケース本体２１に固定される。
【００２６】
トップカバー半体２２Ａ，２２Ｂがケース本体２１に固定された状態で、トップカバー半体２２Ａとトップカバー半体２２Ｂの間（トップカバー２２の中央位置）には、アーム装着空間３３が形成される。スイッチユニット４０は、このアーム装着空間３３に装着される。
【００２７】
ボトムカバー２３は、ベース部材１１４及び回路基板１２０がケース本体２１の裏面に搭載された後、ケース本体２１の裏面に固定される。
【００２８】
ベース部材１１４は、磁石ユニット９０と共に固定ネジ１１２を用いてケース本体２１に固定される（後に詳述する）。回路基板１２０は、固定ネジ１２３を用いてケース本体２１に固定される。
【００２９】
回路基板１２０の所定位置には貫通孔１２２が形成されており、またケース本体２１の裏面には貫通孔１２２が螺着されるネジ孔（図に現れず）が形成されている。固定ネジ１２３を貫通孔１２２に挿通し、ケース本体２１の裏面に形成されたネジ孔に螺着することにより、回路基板１２０はケース本体２１の裏面に固定される。
【００３０】
回路基板１２０は、高周波通信回路を構成する各種電子部品１２１が搭載されている。回路基板１２０は、ケース本体２１の表側に搭載されたコイルユニット８０Ａ，８０Ｂのコイル８１Ａ，８１Ｂに対し端子８３を介して電気的に接続される。
【００３１】
よって、コイル８１Ａ，８１Ｂで発生した誘導起電力は端子８３を介して回路基板１２０に供給され、この誘導起電力により電子部品１２１は作動する。高周波通信回路が作動することにより、発電スイッチ１０Ａは電気機器等（例えば、照明機器等）に向け、例えば2.4GHz帯の電波を送信する。
【００３２】
上記のようにケース本体２１の表側にトップカバー２２を装着し、裏側にボトムカバー２３を装着することにより、図２及び図３に示すように、ケース２０は全体として矩形状の筐体となる。また、組み立て状態において、スイッチユニット４０のレバー部材４１はトップカバー２２の上面から突出する。
【００３３】
発電スイッチ１０Ａを駆動させるには、スイッチユニット４０のトップカバー２２から突出した押圧部４９を押圧操作する。押圧部４９を押圧操作することにより、後述するようにコイル８１Ａ，８１Ｂには誘導起電力が発生し、電気機器等に向けて電波が送信される。
【００３４】
次に、スイッチユニット４０について説明する。
【００３５】
図７及び図８は、スイッチユニット４０を示している。スイッチユニット４０は、レバー部材４１、操作部材４２、連結シャフト４３、ガイドシャフト４４、ローラ４６、捩じりばね４７を有している。
【００３６】
レバー部材４１は樹脂成型品であり、軸部５０Ａ，５０Ｂ、軸承部５１Ａ，５１Ｂ、掛止部５３Ａ，５３Ｂ、ストッパ５４Ａ，５４Ｂ等が一体的に形成されている。レバー部材４１は、平面視で略矩形状とされている。なお、レバー部材４１の材料は樹脂に限定されるものではなく、金属等の樹脂以外の材料を用いることも可能である。
【００３７】
軸部５０Ａ，５０Ｂは、レバー部材４１の一端部（矢印Ｘ２方向側の端部）に形成されている。軸部５０Ａ，５０Ｂは、レバー部材４１の側部から外方に向け突出するよう形成されている。
【００３８】
軸部５０Ａ，５０Ｂは、スイッチユニット４０がケース本体２１に装着され際、ケース本体２１に形成された軸受部３０Ａ，３０Ｂに取り付けられる。軸部５０Ａ，５０Ｂが軸受部３０Ａ，３０Ｂに取り付けられることにより、スイッチユニット４０はケース本体２１に回転可能な状態となる。
【００３９】
軸承部５１Ａ，５１Ｂは、軸部５０Ａ，５０Ｂの形成位置に対して反対側の端部（矢印Ｘ１方向側の端部）に形成されている。軸承部５１Ａと軸承部５１Ｂは離間配置されており、各々には貫通孔５２Ａ，５２Ｂが形成されている。貫通孔５２Ａ，５２Ｂには、操作部材４２を軸承する連結シャフト４３が挿通される。
【００４０】
操作部材４２は樹脂成型品であり、ローラ装着部６０、第１の貫通孔６１、第２の貫通孔６２、突起６３を有している。なお、操作部材４２の材料は樹脂に限定されるものではなく、金属等の樹脂以外の材料を用いることも可能である。
【００４１】
操作部材４２は、図８における下方位置にローラ装着部６０及び第２の貫通孔６２が形成され、上方位置に第１の貫通孔６１が形成されている。
【００４２】
ローラ装着部６０は、ローラ４６が装着される凹部である。ローラ４６はローラ装着部６０に装着された後、第２の貫通孔６２にガイドシャフト４４を挿通することにより操作部材４２に軸承される。ローラ４６は操作部材４２に装着された状態において、操作部材４２の一端部から一部が突出するよう構成されている。
【００４３】
上記構成とされた操作部材４２は、レバー部材４１に形成された軸承部５１Ａ，５１Ｂに装着され、連結シャフト４３を貫通孔５２Ａ，５２Ｂ及び第１の貫通孔６１に挿通することによりレバー部材４１に軸承される。よって、操作部材４２がレバー部材４１に軸承されることにより、操作部材４２はレバー部材４１に対して連結シャフト４３を中心として図７（Ａ）に矢印Ｂ１，Ｂ２で示方向に回転可能な構成となる。
【００４４】
連結シャフト４３及びガイドシャフト４４は、フランジ部６６，６９及び溝部６７，７０を有している。
【００４５】
連結シャフト４３を貫通孔５２Ａ，５２Ｂ及び第１の貫通孔６１に挿通した状態において、フランジ部６６は軸承部５１Ａの側壁に当接し、溝部６７は軸承部５１Ｂの外側（Ｙ１方向）に位置した状態となる。この溝部６７には、割ワッシャ７１（図８参照）が装着される。これにより、連結シャフト４３のレバー部材４１からの抜けは防止され、これに伴い操作部材４２のレバー部材４１からの離脱も防止される。
【００４６】
更に、連結シャフト４３がレバー部材４１に装着された状態において、連結シャフト４３の挿入部６５Ａ，６５Ｂは軸承部５１Ａ，５１Ｂから外方に突出するよう構成されている。
【００４７】
またガイドシャフト４４を第２の貫通孔６２及びローラ４６に挿通した状態において、フランジ部６９は操作部材４２の一方の側壁に当接し、溝部７０は操作部材４２の他方の側壁からＹ１方向に突出する。この溝部７０には、割ワッシャ７２（図８参照）が装着される。これにより、ガイドシャフト４４の操作部材４２からの抜けは防止され、これに伴いローラ４６の操作部材４２からの離脱も防止される。
【００４８】
更に、ガイドシャフト４４が操作部材４２に装着された状態において、ガイドシャフト４４の両端部である係合部６８Ａ，６８Ｂは操作部材４２の両側壁から外方に突出するよう構成されている。
【００４９】
捩じりばね４７は、ばね線材を用いて巻回部７３Ａ，７３Ｂ、端部７４Ａ，７４Ｂ、連結部７５を一体的に形成した構成とされている。捩じりばね４７は、操作部材４２をレバー部材４１に装着する際、操作部材４２と共にレバー部材４１に装着される。
【００５０】
レバー部材４１に装着された状態において、捩じりばね４７の巻回部７３Ａ，７３Ｂは連結シャフト４３の挿入部６５Ａ，６５Ｂに装着される。また端部７４Ａはレバー部材４１の掛止部５３Ａに掛止され、端部７４Ｂは掛止部５３Ｂに掛止される。更に連結部７５は、操作部材４２に形成された溝部６４に係合する。
【００５１】
捩じりばね４７がレバー部材４１と操作部材４２の間に配設されることにより、捩じりばね４７は操作部材４２を内側（図中、矢印Ｂ２方向）に向けて弾性付勢する。しかしながら、操作部材４２には突起６３が側方に向けて突出形成されると共に軸承部５１Ａ，５１Ｂの下方（Ｚ２方向）には突出部５１Ａ−１，５２Ｂ−１が形成されている。突起６３が突出部５１Ａ−１，５２Ｂ−１に当接することにより、操作部材４２はそれ以上の内側（Ｂ２方向）への回転が規制される。
【００５２】
突起６３が突出部５１Ａ−１，５２Ｂ−１に当接した状態において、操作部材４２はレバー部材４１に対して略直角方向に延出するよう構成されている。
【００５３】
上記構成とされたスイッチユニット４０は、レバー部材４１の軸部５０Ａ，５０Ｂがケース本体２１の軸受部３０Ａ，３０Ｂに取り付けられることによりケース本体２１に装着される。スイッチユニット４０がケース本体２１に装着される際、レバー部材４１の下面とケース本体２１の間にはコイルばね４８が介装される。
【００５４】
コイルばね４８は、レバー部材４１を軸部５０Ａ，５０Ｂを中心としてケース本体２１の底面に対し離間する方向に弾性付勢する。しかしながら、レバー部材４１の両側部にはストッパ５４Ａ，５４Ｂが形成されており、このストッパ５４Ａ，５４Ｂがトップカバー半体２２Ａ，２２Ｂの裏面に当接することによりそれ以上の回転は規制される。
【００５５】
次に、コイルユニット８０Ａ，８０Ｂについて説明する。
【００５６】
コイルユニット８０Ａ，８０Ｂは、図１、図５、図１１（Ａ）に示すように、コイル８１Ａ，８１Ｂ及びコア８２Ａ，８２Ｂを有している。コイル８１Ａ，８１Ｂは、絶縁材でコーティングした銅線を樹脂製ホルダに多数巻回した構成とされている。また、コア８２Ａ，８２Ｂは磁性体金属板よりなり、平面視した状態で楕円形の一部を切り欠いた形状（略Ω形状）とされている。
【００５７】
コイル８１Ａ，８１Ｂ、コア８２Ａ，８２Ｂ、及び後述する磁石（ＭＧＮ，ＭＧＳ）は磁気回路を構成する。
【００５８】
コイルユニット８０Ａ，８０Ｂは、ケース本体２１のコイルユニット装着部２６Ａ，２６Ｂに装着される。装着状態において、コイル８１Ａ，８１Ｂはケース本体２１の外側に位置するよう構成されている。
【００５９】
また装着状態において、コア８２Ａ，８２Ｂの所定部分は、後述する磁石ユニット９０と対向した状態となる。よって、コイルユニット８０Ａとコイルユニット８０Ｂは、磁石ユニット９０を挟んで配設された構成となる。
【００６０】
なお以下の説明において、コイルユニット８０Ａのコア８２Ａにおいて、磁石ユニット９０（磁石装着部１０１）と対向する部分を対向部８２Ａ−１，８２Ａ−２ということがある。また、コイルユニット８０Ｂのコア８２Ｂにおいて、磁石ユニット９０（磁石装着部１０２）と対向する部分を対向部８２Ｂ−１，８２Ｂ−２ということがある。
【００６１】
次に、磁石ユニット９０について説明する。
【００６２】
図９及び図１０は、磁石ユニット９０を示している。磁石ユニット９０は、ヨーク９１、ばね部材９２、磁石ペア９４〜９７を有している。
【００６３】
磁石ユニット９０は、ケース本体２１の略中央位置に、矢印Ｘ１，Ｘ２が長手方向となるよう配設される。また磁石ユニット９０は、スイッチユニット４０の配設位置の下部に配設される。
【００６４】
即ち、スイッチユニット４０と磁石ユニット９０がケース本体２１に取り付けられた状態において、磁石ユニット９０の上部（Ｚ１方向側）にスイッチユニット４０が重なった状態で配置されている。
【００６５】
ヨーク９１は、磁性体金属よりなる略角柱状の部材である。このヨーク９１は、中央にばね固定部９９が形成されると共に、このばね固定部９９の両側に磁石装着部１０１，１０２が形成されている。なお本実施形態では、ばね固定部９９と磁石装着部１０１，１０２を一体的に形成した例を示しているが、ばね固定部９９と磁石装着部１０１，１０２を別個に形成し、これを接合した構成としてもよい。
【００６６】
ばね固定部９９は、正面視した状態（Ｙ２方向に見た状態）で三角形状を有した三角凹部１００が形成されている。ばね固定部９９の三角凹部１００の両側部には、高さ方向（Ｚ１，Ｚ２方向）にネジ孔１１７が形成されている。
【００６７】
磁石装着部１０１，１０２は、ばね固定部９９から両側に延出するよう形成されている。この磁石装着部１０１，１０２には、磁石ペア９４〜９７が固定されている。
【００６８】
また、磁石装着部１０１の手前方向の端部（Ｘ１方向側の端部）には、フック部１０３が形成されている。このフック部１０３は、スイッチユニット４０の操作部材４２が係合する。本実施形態では、フック部１０３は段部とされている。しかしながら、後述するように操作部材４２と係合可能な構成であれば、他の形状としてもよい。
【００６９】
ばね部材９２は、ばね板材をプレス加工により一体的に成形したものである。ばね部材９２は、ベース部１０５、三角ばね部１０６、ホルダ部１０７が一体的に形成された構成とされている。
【００７０】
ベース部１０５は、ケース本体２１に固定される部位である。ベース部１０５は、矢印Ｙ１，Ｙ２方向に離間して一対設けられている。各ベース部１０５には、貫通孔１１１が形成されている。この貫通孔１１１の形成位置は、ケース本体２１の貫通孔３２の形成位置と対応するよう設定されている。
【００７１】
三角ばね部１０６は、一対のベース部１０５の中央位置を連結するよう設けられている。よってベース部１０５と三角ばね部１０６は、平面視した状態（矢印Ｚ１方向に見た状態）で略Ｈ字形状となっている。
【００７２】
三角ばね部１０６は、断面が三角形状とされている。三角ばね部１０６の中央には、側方に延出するホルダ部１０７が形成されている。またホルダ部１０７には、貫通孔１０９が形成されている。
【００７３】
前記したヨーク９１のばね固定部９９は、ホルダ部１０７に固定される。ヨーク９１をばね部材９２に固定するには、三角凹部１００と三角ばね部１０６が係合するよう、またばね固定部９９がホルダ部１０７と係合するよう、ヨーク９１をばね部材９２に装着する。この装着状態において、ホルダ部１０７に形成された貫通孔１０９とばね固定部９９に形成されたネジ孔１１７は一致するよう構成されている。
【００７４】
次に、ホルダ部１０７の下方から固定ネジ１０８を貫通孔１０９に挿通し、ばね固定部９９に形成されたネジ孔１１７に螺着する。これにより、ヨーク９１とばね部材９２は固定される。ヨーク９１がばね部材９２に固定された状態において、ヨーク９１の長手方向と、三角ばね部１０６の延在方向は直交した状態となる。
【００７５】
なお以下の説明では、スイッチユニット４０及び磁石ユニット９０がケース本体２１に取り付けられた状態において、ヨーク９１の長手方向（図中矢印Ｘ１，Ｘ２で示す方向）を奥行方向といい、また奥行方向に直交する三角ばね部１０６の延在方向（図中矢印Ｙ１，Ｙ２方向）を幅方向といい、奥行方向及び幅方向に共に直交する方向（図中矢印Ｚ１，Ｚ２方向）を上下方向ということがある。
【００７６】
特に、奥行方向において、フック部１０３が位置する方向（Ｘ１方向）を手前方向といい、軸受部３０Ａ，３０Ｂが形成された方向（Ｘ２方向）を奥方向ということがある。また幅方向において、コイルユニット８０Ａが位置する方向（Ｙ２方向）を右方向といい、コイルユニット８０Ｂが位置する方向（Ｙ１方向）を左方向ということがある。更に、上下方向において、レバー部材４１のレバー部材４１が押圧される方向（Ｚ２方向）を下方向といい、押圧解除によりレバー部材４１が戻る方向（Ｚ１方向）を上方向ということがある。
【００７７】
磁石ペア９４〜９７は、各々極性の異なる磁石ＭＧＮと磁石ＭＧＳの対により構成されている。各磁石ペア９４〜９７は、上方向側に磁石ＭＧＮが、下方側に磁石ＭＧＳが並んで配設されている。
【００７８】
磁石ペア９４は、磁石装着部１０１のＹ２方向側に固定されている。磁石ペア９５は磁石装着部１０２のＹ２方向側に固定されている。磁石ペア９６は、磁石装着部１０１のＹ１方向側に固定されている。磁石ペア９７は磁石装着部１０２のＹ１方向側に固定されている。
【００７９】
磁石ペア９４から磁石ペア９７の磁石装着部１０１，１０２への固定は、例えば接着剤を用いて行われる。
【００８０】
上記構成とされた磁石ユニット９０は、固定ネジ１１２とベース部材１１４（図１参照）を用いてケース本体２１に固定される。
【００８１】
ベース部材１１４は、図１に示すように、ケース本体２１の裏面側に配設される。このベース部材１１４は、磁石ユニット９０を保持しうる所定の強度を有した金属或いは樹脂により形成されている。ベース部材１１４は、貫通孔３２及び貫通孔１１１の形成位置に対応する位置にネジ孔１１５が形成されている。
【００８２】
磁石ユニット９０をケース本体２１の磁石ユニット装着部２７に載置した状態において、ベース部１０５に形成された貫通孔１１１とケース本体２１に形成された貫通孔３２は一致するよう構成されている。
【００８３】
続いて、ケース本体２１の裏面にベース部材１１４を配置する。この際、ベース部材１１４は、ベース部材１１４に形成されたネジ孔１１５が貫通孔３２，１１１と一致するよう位置決めされる。
【００８４】
上記のようにケース本体２１、磁石ユニット９０、ベース部材１１４の位置決めが行われると、貫通孔３２，１１１を介して固定ネジ１１２をネジ孔１１５に螺着する（図１参照）。これにより、磁石ユニット９０はケース本体２１に固定された状態になる。
【００８５】
ここで、磁石ユニット９０がケース本体２１に固定された状態におけるヨーク９１の動作に注目する。
【００８６】
ヨーク９１は、ばね部材９２に形成された三角ばね部１０６に取り付けられている。また三角ばね部１０６は、幅方向（矢印Ｙ１，Ｙ２方向）に延在している。このため図９に示すように、ヨーク９１は奥行方向（矢印Ｘ１，Ｘ２方向）の軸回りの回転（ローリング、図中矢印Ｅ１，Ｅ２で示す）、及び上下方向（矢印Ｚ１，Ｚ２方向）の軸回りの回転（ヨーイング、図中矢印Ｄ１，Ｄ２で示す）は規制される。
【００８７】
これに対し、幅方向（矢印Ｙ１，Ｙ２方向）の軸回りの回転（ピッチング、図中矢印Ｃ１，Ｃ２で示す）については、三角ばね部１０６が弾性変形することにより回転可能である。よって、ヨーク９１に配設された磁石ペア９４〜９７も、幅方向の軸回りの回転（矢印Ｃ１，Ｃ２方向の回転）が可能となる。
【００８８】
上記のようにヨーク９１は、ばね部材９２に支持されることにより、図中矢印Ｃ２，Ｃ２方向に回転可能な構成となっている。しかしながら三角ばね部１０６は、ヨーク９１が水平な状態、即ちケース本体２１の底面に対し平行な状態では弾性力を発生していない（以下、この状態を操作前状態という）。
【００８９】
これに対し、操作前状態からヨーク９１に外力を印加しヨーク９１を矢印Ｃ１方向又はＣ２方向に回転させると、三角ばね部１０６は弾性変形し、これに伴い三角ばね部１０６には弾性力が蓄成される。この弾性力は、ヨーク９１を操作前状態の位置に戻す力として作用する。
【００９０】
次に、ヨーク駆動機構１１０について説明する。
【００９１】
ヨーク駆動機構１１０は、スイッチユニット４０の一部を構成する操作部材４２と、ケース本体２１に形成された立設壁２８Ａ，２８Ｂ及び傾斜壁２９Ａ，２９Ｂを有している。
【００９２】
操作部材４２は、図１４（Ａ）に示すように、ヨーク９１のフック部１０３と対向する位置にローラ４６を有している。このローラ４６は、レバー部材４１の押圧部４９が押圧操作されることにより、ヨーク９１のフック部１０３と係合するよう構成されている。
【００９３】
操作部材４２がフック部１０３に係合した後に、更にレバー部材４１を押圧操作すると、フック部１０３は操作部材４２に押圧されてヨーク９１は矢印Ｃ１方向に回転する（図１６参照）。この際、ヨーク９１を支持するばね部材９２は、ヨーク９１の回転に伴い三角ばね部１０６が弾性変形して弾性力を蓄成する。
【００９４】
立設壁２８Ａ，２８Ｂ及び傾斜壁２９Ａ，２９Ｂは、図１４（Ｂ）に示すように、操作部材４２に設けられたガイドシャフト４４の係合部６８Ａ，６８Ｂと係合する位置に形成されている。
【００９５】
立設壁２８Ａ，２８Ｂは、ケース本体２１の底面に対して直角方向に延出している。また、傾斜壁２９Ａ，２９Ｂは、手前方向（Ｘ１方向）に行くに従い漸次幅が広がる傾斜を有している。係合部６８Ａは立設壁２８Ａ及び傾斜壁２９Ａと係合し、係合部６８Ｂは立設壁２８Ｂ及び傾斜壁２９Ｂと係合する。
【００９６】
また、立設壁２８Ａと傾斜壁２９Ａ、及び立設壁２８Ｂと傾斜壁２９Ｂは連続的に接続された構成とされている。よって、係合部６８Ａは立設壁２８Ａと傾斜壁２９Ａとの間を移動し、係合部６８Ｂは立設壁２８Ｂと傾斜壁２９Ｂとの間を移動する。
【００９７】
前記のように操作部材４２は、捩じりばね４７により矢印Ｂ２方向に付勢されており、よって係合部６８Ａ，６８Ｂは立設壁２８Ａ，２８Ｂ及び傾斜壁２９Ａ，２９Ｂに押し付けられた状態となっている。このため、レバー部材４１の回転に伴い操作部材４２が上下方向（Ｚ１，Ｚ２方向）に移動する際、係合部６８Ａ，６８Ｂは立設壁２８Ａ，２８Ｂ及び傾斜壁２９Ａ，２９Ｂに確実に案内されて移動する。
【００９８】
係合部６８Ａ，６８Ｂが立設壁２８Ａ，２８Ｂと係合した状態では、操作部材４２はレバー部材４１に対して略直角な状態を維持する。また、操作部材４２がレバー部材４１に対して略直角な状態では、ローラ４６はフック部１０３と対向した状態を維持する。
【００９９】
これに対し、係合部６８Ａ，６８Ｂが傾斜壁２９Ａ，２９Ｂと係合した状態で操作部材４２が下方向（Ｚ２方向）に移動すると、係合部６８Ａ，６８Ｂは傾斜壁２９Ａ，２９Ｂに案内されてケース本体２１の手前方向（矢印Ｘ１で示す方向）に向け移動付勢される。
【０１００】
前記のように、操作部材４２は連結シャフト４３によりレバー部材４１に軸承されているため、ガイドシャフト４４がケース本体２１の手前方向に移動付勢されることにより、操作部材４２は図１４（Ｂ）に矢印Ｂ１で示す方向に回転する。
【０１０１】
操作部材４２がＢ１方向に回転することにより、ローラ４６はフック部１０３から離間する方向に移動する。そして、操作部材４２が所定位置までＢ１方向に回転した際、ローラ４６はフック部１０３から離脱する。ローラ４６がフック部１０３から離脱することにより、ヨーク９１は三角ばね部１０６に蓄成されていた弾性力によりＣ２方向に瞬時に回転する。
【０１０２】
上記のようにヨーク駆動機構１１０は、レバー部材４１が押圧操作された際、操作部材４２（ローラ４６）とヨーク９１を係合させることによりヨーク９１をＣ１方向に回転させ、レバー部材４１が所定位置まで押圧された際にローラ４６０フック部１０３から離脱させ、ヨーク９１をＣ２方向に回転させる機能を奏する。
【０１０３】
次に、本実施形態に係る発電スイッチ１０Ａの発電原理について説明する。
【０１０４】
図１１〜図１３は、発電スイッチ１０Ａの発電原理を説明するための図である。図１１〜図１３は、図示及び説明の便宜上、コイルユニット８０Ａ，８０Ｂと磁石ユニット９０を拡大して示している。
【０１０５】
また図１１（Ａ）〜図１３（Ａ）はコイルユニット８０Ａ，８０Ｂ及び磁石ユニット９０の平面図であり、図１１（Ｂ）〜図１３（Ｂ）は図１１（Ａ）〜図１３（Ａ）におけるＡ−Ａ線沿う断面図である。よって図１１（Ｂ）〜図１３（Ｂ）では、磁石ペア９４，９５及びコイルユニット８０Ａのコア８２Ａが、ヨーク９１の背面側に位置した図となっている（磁石ペア９４，９５及びコイルユニット８０Ａは破線で示している）。
【０１０６】
なお発電スイッチ１０Ａは、Ａ−Ａ線の右側に配設された磁石ペア９４，９５の動作と、Ａ−Ａ線の左側に配設された磁石ペア９６，９７の動作と同じである。よって、図１１（Ｂ）〜図１３（Ｂ）では磁石ペア９４，９５の動作についてのみ図示して説明し、磁石ペア９６，９７の動作については図示を省略し、磁石ペア９６，９７の符号を括弧書きして説明するものとする。
【０１０７】
図１１は、操作前状態のコイルユニット８０Ａ（８０Ｂ）及び磁石ユニット９０を示している。操作前状態では、ヨーク９１は水平状態となっている。
【０１０８】
また操作前状態では、コア８２Ａ（８２Ｂ）の対向部８２Ａ−１（８２Ｂ−１）は、磁石ペア９４（９６）の磁石ＭＧＮと磁石ＭＧＳとの境界位置と対向するよう構成されている。同様に、コア８２Ａ（８２Ｂ）の対向部８２Ａ−２（８２Ｂ−２）は、磁石ペア９５（９７）の磁石ＭＧＮと磁石ＭＧＳとの境界位置と対向するよう構成されている。
【０１０９】
なお磁石ＭＧＮは、対向部８２Ａ−１，８２Ａ−２，８２Ｂ−１，８２Ｂ−２と対向する側の極性が正極（Ｎ極）である磁石である。また磁石ＭＧＳは、対向部８２Ａ−１，８２Ａ−２，８２Ｂ−１，８２Ｂ−２と対向する側の極性が負極（Ｓ極）である磁石である。
【０１１０】
図１２は、フック部１０３が押圧操作されることにより、ヨーク９１が矢印Ｃ１方向に回転した状態を示している（以下、この状態を操作状態という）。
【０１１１】
ヨーク９１がＣ１方向に回転することにより、ヨーク９１に固定されている磁石ペア９４（９６），９５（９７）も移動する。また、ヨーク９１がＣ１方向に回転することにより、磁石ユニット９０の三角ばね部１０６は弾性変形し、これに伴い弾性力が蓄成される。
【０１１２】
この操作状態では、図１２（Ｂ）に示すように、磁石ペア９４（９６）の磁石ＭＧＮはコア８２Ａの対向部８２Ａ−１（８２Ｂ−１）と対向する。また磁石ペア９５（９７）の磁石ＭＧＳは、コア８２Ａの対向部８２Ａ−２（８２Ｂ−２）と対向する。
【０１１３】
対向部８２Ａ−１（８２Ｂ−１）に磁気的に結合される磁石ＭＧＮと、対向部８２Ａ−２（８２Ｂ−２）に磁気的に結合される磁石ＭＧＳは逆磁極である。このため、コア８２Ａ（８２Ｂ）には対向部８２Ａ−１（８２Ｂ−１）から対向部８２Ａ−２（８２Ｂ−２）に向かう磁束の流れが発生する（各磁束の流れを、図１２（Ａ）に太字の矢印で示す）。
【０１１４】
図１２に示す操作状態からヨーク９１の押圧が解除されると、ヨーク９１は三角ばね部１０６に蓄成されていた弾性力により矢印Ｃ２方向に瞬時に回転する。ヨーク９１がＣ２方向に回転することにより、ヨーク９１は再び操作前状態に戻る。しかしながら、ヨーク９１は直ちに操作前状態の位置で停止することはなく、図１３に示すように慣性力により操作前状態を過ぎて矢印Ｃ２方向に回転する（以下、この状態を過移動状態という）。
【０１１５】
この過移動状態では、図１３（Ｂ）に示すように、磁石ペア９４（９６）の磁石ＭＧＳはコア８２Ａ（８２Ｂ）の対向部８２Ａ−１（８２Ｂ−１）と対向する。また磁石ペア９５（９７）の磁石ＭＧＮはコア８２Ａ（８２Ｂ）の対向部８２Ａ−２（８２Ｂ−２）と対向する。
【０１１６】
対向部８２Ａ−１（８２Ｂ−１）に磁気的に結合される磁石ＭＧＳと、対向部８２Ａ−２（８２Ｂ−２）に磁気的に結合される磁石ＭＧＮは逆磁極である。このため、コア８２Ａ（８２Ｂ）には対向部８２Ａ−２（８２Ｂ−２）から対向部８２Ａ−１（８２Ｂ−１）に向かう磁束の流れが発生する（各磁束の流れを、図１３（Ａ）に太字の矢印で示す）。
【０１１７】
このように本実施形態に係る発電スイッチ１０Ａは、操作状態においてコア８２Ａ（８２Ｂ）に流れる磁束の方向と、過移動状態においてコア８２Ａ（８２Ｂ）に流れる磁束の方向は逆方向となるよう構成されている。
【０１１８】
よって本実施形態に係る発電スイッチ１０Ａにおいて、フック部１０３を押圧してヨーク９１が操作状態まで移動した後に押圧力を解除すると、三角ばね部１０６の弾性力によりヨーク９１は操作状態の位置から、過移動状態の位置までＣ２方向に瞬時に移動する。このヨーク９１（磁石ペア磁石ペア９４〜９７）の移動に伴い、コア８２Ａ（８２Ｂ）を流れる磁束は逆転する。よってコア８２Ａ（８２Ｂ）には大きな磁束変化が瞬時に発生し、コア８２Ａ（８２Ｂ）に装着されたコイル８１Ａ（８１Ｂ）に大きな誘導起電力が発生する。
【０１１９】
なお、本明細書において「ヨーク９１の瞬時の移動」とは、コイル８１Ａ．８１Ｂに誘導起電力が発生しうる速度でヨーク９１が移動することをいうものとする。
【０１２０】
次に、上記した発電の原理に基づいた、発電スイッチ１０Ａの動作ついて説明する。
【０１２１】
図１４〜図１９は、発電スイッチ１０Ａの動作説明するための図である。図１４（Ａ）〜図１９（Ａ）は、発電スイッチ１０Ａを奥行方向（Ｘ１，Ｘ２方向）に切断した断面図であり、図１４（Ｂ）〜図１９（Ｂ）は操作部材４２の動作を拡大して示す図である。
【０１２２】
図１４（Ａ），（Ｂ）は、操作前状態を示している。
【０１２３】
操作前状態では、レバー部材４１はコイルばね４８により軸部５０Ａ，５０Ｂを中心としてレバー部材４１をケース本体２１の底面に対し離間する方向（Ｚ１方向）に移動している。またヨーク駆動機構１１０を構成する操作部材４２は、レバー部材４１に対して直角下方向（Ｚ２方向）を向いた構成となっている。
【０１２４】
また図１４（Ａ）に示すように、ローラ４６はフック部１０３から離間した状態となっている。このためヨーク９１に外力は印加されておらず、ヨーク９１は水平状態を維持している。また、ヨーク９１が水平状態とされているため、ばね部材９２の三角ばね部１０６に弾性変形は発生していない。更に、図１４（Ｂ）に示すように、ガイドシャフト４４の両端部に形成された係合部６８Ａ，６８Ｂは、ケース本体２１に形成された立設壁２８Ａ，２８Ｂに係合している。
【０１２５】
操作前状態の発電スイッチ１０Ａに対し、操作者がスイッチユニット４０の押圧部４９を押圧操作すると、レバー部材４１は軸部５０Ａ，５０Ｂを中心として下方向（Ｚ２方向）に向けて回転する。なお図１４において、操作者の操作力を矢印Ｆで示している。
【０１２６】
レバー部材４１が回転することにより、操作部材４２はフック部１０３に向けて移動する。この操作部材４２の移動に伴い、係合部６８Ａ，６８Ｂは立設壁２８Ａ，２８Ｂに案内されて下方向（Ｚ２方向）に移動する。係合部６８Ａ，６８Ｂが立設壁２８Ａ，２８Ｂに案内されて移動することにより、操作部材４２は変位することなく安定した状態でフック部１０３に向け移動する。
【０１２７】
レバー部材４１の回転に伴い、やがて操作部材４２のローラ４６はフック部１０３と係合する。図１５（Ａ），（Ｂ）は、ローラ４６がフック部１０３と係合した状態を示している。この状態においても、係合部６８Ａ，６８Ｂは、立設壁２８Ａ，２８Ｂと係合した状態を維持している。
【０１２８】
更に操作者が押圧部４９を押圧すると、操作部材４２は下方向（Ｚ２方向）に移動してフック部１０３を押圧する。フック部１０３が押圧されることにより、ヨーク９１はＣ１方向に回転する。
【０１２９】
ヨーク９１はＣ１方向に回転すると、コア８２Ａ，８２Ｂには、図１２に太線の矢印で示す磁束が流れる。よって、発電スイッチ１０Ａは操作状態となる。
【０１３０】
図１６（Ａ），（Ｂ）及び図１７（Ａ），（Ｂ）は、操作状態となった発電スイッチ１０Ａを示している。特に図１６（Ａ），（Ｂ）は、係合部６８Ａ，６８Ｂが立設壁２８Ａ，２８Ｂと傾斜壁２９Ａ．２９Ｂとの境界位置まで移動した状態を示している。
【０１３１】
立設壁２８Ａ，２８Ｂは、ケース本体２１の底面に対して直角方向に延出している。よってガイドシャフト４４の係合部６８Ａ，６８Ｂが立設壁２８Ａ，２８Ｂに案内されている間は、操作部材４２に連結シャフト４３を中心とした回転は発生せず、よってローラ４６はフック部１０３と係合した状態を維持する。
【０１３２】
図１７（Ａ），（Ｂ）は、係合部６８Ａ，６８Ｂが傾斜壁２９Ａ．２９Ｂと係合した状態を示している。
【０１３３】
係合部６８Ａ，６８Ｂが傾斜壁２９Ａ，２９Ｂと係合した状態でレバー部材４１が押圧操作されると、係合部６８Ａ，６８Ｂは傾斜壁２９Ａ，２９Ｂの傾斜面に案内され、よって係合部６８Ａ，６８Ｂはケース本体２１の手前方向（Ｘ１方向）に向けて移動付勢される。
【０１３４】
係合部６８Ａ，６８Ｂがケース本体２１の手前方向に向けて移動付勢されることにより、操作部材４２は矢印Ｂ  １で示す方向に回転し、これによりローラ４６はフック部１０３から離脱する方向に回転する。
【０１３５】
図１８（Ａ），（Ｂ）は、ローラ４６がフック部１０３から離脱する直前の状態を示している。この図１８（Ａ），（Ｂ）の状態から更にレバー部材４１が押圧され、係合部６８Ａ，６８Ｂが傾斜壁２９Ａ，２９Ｂに案内されて手前方向に移動すると、これに伴い操作部材４２もＢ１方向に回転し、ローラ４６はフック部１０３から離脱する。
【０１３６】
図１９は、ローラ４６がフック部１０３から離脱した状態を示している。
【０１３７】
ローラ４６がフック部１０３から離脱することにより、ヨーク９１の矢印Ｃ１方向への押圧は解除され、ヨーク９１は三角ばね部１０６に蓄成された弾性力により瞬時にＣ２方向に回転する。
【０１３８】
ヨーク９１がＣ２方向に回転することにより、図１３に示したように磁石ペア９４，９６の磁石ＭＧＳはコア８２Ａ，８２Ｂの対向部８２Ａ−１，８２Ｂ−１と対向し、磁石ペア９５，９７の磁石ＭＧＮはコア８２Ａ，８２Ｂの対向部８２Ａ−２，８２Ｂ−２と対向する。これにより、コア８２Ａ，８２Ｂには図１３に太線の矢印で示す磁束の流れが発生し、よって発電スイッチ１０Ａは過移動状態となる。
【０１３９】
前記のように操作状態においてコア８２Ａ，８２Ｂに流れる磁束の方向と、過移動状態においてコア８２Ａ，８２Ｂに流れる磁束の方向は逆方向である。また、ヨーク９１は三角ばね部１０６の弾性力により、操作状態の位置から過移動状態の位置まで瞬時に移動する。よってヨーク９１の瞬時の移動に伴いコア８２Ａ，８２Ｂには大きな磁束変化が瞬時に発生し、コイル８１Ａ．８１Ｂには大きな誘導起電力が発生する（発電が行われる）。
【０１４０】
なお、過移動状態まで移動したヨーク９１は、その後ばね部材９２の弾性力により操作前状態（水平状態）に戻る。
【０１４１】
上記のように本実施形態に係る発電スイッチ１０Ａは、磁石ペア９４〜９７が配設されたヨーク９１をヨーク駆動機構１１０で駆動させることにより発電を行う構成としている。ヨーク９１及び磁石ペア９４〜９７を有する磁石ユニット９０は、従来のモータ等を利用した発電機に比べて小型化及び薄型化ができるため、発電スイッチ１０Ａの小型化及び薄型化を図ることができる。
【０１４２】
また、ヨーク９１を駆動するヨーク駆動機構１１０はレバー部材４１に取り付けられる連結シャフト４３と、ケース本体２１に一体的に形成された立設壁２８Ａ，２８Ｂ及び傾斜壁２９Ａ，２９Ｂにより構成されるため、部品点数の削減及び構造の簡単化を図ることができ、発電スイッチ１０Ａの低コスト化を図ることができる。
【０１４３】
次に、第２及び第３実施形態である発電スイッチ１０Ｂ，１０Ｃについて説明する。
【０１４４】
図２０及び図２１は第２実施形態である発電スイッチ１０Ｂを説明するための図である。また図２２及び図２３は第３実施形態である発電スイッチ１０Ｃを説明するための図である。なお、図２０〜図２３において、図１〜図１９に示した構成と対応する構成については同一符号を付し、その説明は省略するものとする。
【０１４５】
先ず、図２０及び図２１を用いて、第２実施形態である発電スイッチ１０Ｂについて説明する。
【０１４６】
図２０は発電スイッチ１０Ｂの外観を示す斜視図であり、図２１は発電スイッチ１０Ｂの要部の分解斜視図である。なお本実施形態ではスイッチユニット４０Ａに特徴があり、他の構成は第１実施形態に係る発電スイッチ１０Ａと同一である。よって、図２１ではスイッチユニット４０Ａを構成する構成要素を主に示し、他の構成の図示を省略している。
【０１４７】
スイッチユニット４０Ａは、スイッチ釦１３０、ローラ１３１、コイルばね１３４Ａ，１３４Ｂ、ばねホルダ１３８Ａ，１３８Ｂを有している。
【０１４８】
スイッチ釦１３０は、押し釦とされている。よって、スイッチ釦１３０は、ケース２０に対して上下方向（Ｚ１，Ｚ２方向）に移動する構成とされている。
【０１４９】
ローラ１３１は、ガイドシャフト１３２に軸承されている。ローラ１３１はガイドシャフト１３２の中央位置に配設されており、ガイドシャフト１３２の両側部は立設壁２８Ａ，２８Ｂ及び傾斜壁２９Ａ，２９Ｂと係合する係合部１３５Ａ，１３５Ｂとされている。更に、ガイドシャフト１３２の両端部には、コイルばね１３４Ａ，１３４Ｂの手前側の一端部（Ｘ１方向側の端部）が接続されている。
【０１５０】
コイルばね１３４Ａ，１３４Ｂは、奥行方向（Ｘ１，Ｘ２方向）に延在している。このコイルばね１３４Ａ，１３４Ｂは、ばねホルダ１３８Ａ，１３８Ｂに装着される。
【０１５１】
ばねホルダ１３８Ａ，１３８Ｂは、奥行方向に延在するばね装着部１３９Ａ，１３９Ｂが形成されている。またばね装着部１３９Ａ，１３９Ｂの奥方向側には、爪部１４０Ａ，１４０Ｂが形成されている。
【０１５２】
ばねホルダ１３８Ａ，１３８Ｂに装着された状態において、コイルばね１３４Ａ，１３４Ｂはばね装着部１３９Ａ，１３９Ｂに載置される。またコイルばね１３４Ａ，１３４Ｂの端部１３６，１３６Ｂは、爪部１４０Ａ，１４０Ｂに掛止される。更に、コイルばね１３４Ａ，１３４Ｂの手前側に接続されたガイドシャフト１３２は、装着状態においてばね装着部１３９Ａ，１３９Ｂの端部よりも手前側（Ｘ１方向側）に位置するよう構成されている。
【０１５３】
一対のばねホルダ１３８Ａ，１３８Ｂは、磁石ユニット９０を間に挟んでケース本体２１に取り付けられる。ばねホルダ１３８Ａ，１３８Ｂがケース本体２１に取り付けられた状態において、ローラ１３１はフック部１０３と対向し、係合部１３５Ａ，１３５Ｂは立設壁２８Ａ，２８Ｂに係合するよう構成されている。更に、トップカバー２２がケース本体２１に配設されることにより、スイッチ釦１３０は係合部１３５Ａ，１３５Ｂと係合するよう構成されている。
【０１５４】
本実施形態に係る発電スイッチ１０Ｂにおいてスイッチ釦１３０を押圧操作すると、スイッチ釦１３０は係合部１３５Ａ，１３５Ｂを下方に向け押圧する。これによりガイドシャフト１３２は、コイルばね１３４Ａ，１３４Ｂを伸張させつつ下方（Ｚ２方向）に移動する。この際、コイルばね１３４Ａ，１３４Ｂは伸張されるため、コイルばね１３４Ａ，１３４Ｂには弾性力が蓄成される。
【０１５５】
スイッチ釦１３０の押圧操作により、ローラ１３１が下方に移動する。この際、ガイドシャフト１３２はコイルばね１３４Ａ，１３４Ｂの弾性力により立設壁２８Ａ，２８Ｂに向けて押圧される。よってガイドシャフト１３２の係合部１３５Ａ，１３５Ｂは、立設壁２８Ａ，２８Ｂに係合した状態を維持しつつ移動し、ローラ１３１をフック部１０３に向けて安定した状態で移動させることができる。
【０１５６】
スイッチ釦１３０の押圧操作によりローラ１３１はフック部１０３と当接し、フック部１０３を下方に向け押圧する。これにより、ヨーク９１は操作前状態の水平位置から回転を行い、よって発電スイッチ１０Ｂは操作状態に切り替わる。
【０１５７】
更にスイッチ釦１３０を押圧すると、ガイドシャフト１３２の下方向への移動に伴い、係合部１３５Ａ，１３５Ｂは傾斜壁２９Ａ，２９Ｂに係合する。よって係合部１３５Ａ，１３５Ｂは傾斜壁２９Ａ，２９Ｂに案内されるため、ローラ１３１は手前方向（Ｘ１方向）に移動付勢される。
【０１５８】
そして、更にスイッチ釦１３０が押圧操作されることにより、ローラ１３１はフック部１０３から離脱する。これにより、ヨーク９１はばね部材９２に蓄成された弾性力により操作状態から過移動状態に瞬時に移動し、コイルユニット８０Ａ，８０Ｂで発電が行われる。その後、ローラ１３１はコイルばね１３４Ａ，１３４Ｂに蓄成された弾性力により、操作前状態の位置まで移動する。
【０１５９】
第２実施形態に係る発電スイッチ１０Ｂでは、トップカバー２２の上部にスイッチ釦１３０のみが突出する構成となるため、発電スイッチ１０Ｂの特にトップカバー２２の上面の構成をコンパクト化することができる。
【０１６０】
次に、図２２及び図２３を用いて、第３実施形態である発電スイッチ１０Ｃについて説明する。
【０１６１】
図２２は発電スイッチ１０Ｃの外観を示す斜視図であり、図２３は発電スイッチ１０Ｃの要部の分解斜視図である。なお本実施形態はスイッチユニット４０Ｂに特徴があり、他の構成は第１実施形態に係る発電スイッチ１０Ａと同一である。よって、図２３ではスイッチユニット４０Ｂを構成する構成要素を主に示し、他の構成の図示を省略している。
【０１６２】
スイッチユニット４０Ｂは、スイッチ釦１５０、ローラ１５１、ローラ保持部材１５２、コイルばね１５３Ａ，１５３Ｂを有している。
【０１６３】
スイッチ釦１５０は、第２実施形態と同様に上下方向（Ｚ１，Ｚ２方向）に移動する押し釦とされている。
【０１６４】
ローラ１５１は、ローラ保持部材１５２に軸承されている。ローラ１５１は、ローラ保持部材１５２の中央位置に配設されている。またローラ保持部材１５２のローラ１５１の配設位置の両側位置には、係合部１５４Ａ，１５４Ｂが形成されている。この係合部１５４Ａ，１５４Ｂは、立設壁２８Ａ，２８Ｂ及び傾斜壁２９Ａ，２９Ｂと係合すると共に、スイッチ釦１５０にも係合する。
【０１６５】
またローラ保持部材１５２の両端部には、コイルばね１５３Ａ，１５３Ｂの一端部が接続されている。本実施形態では、コイルばね１５３Ａ，１５３Ｂは、左右方向（Ｙ１，Ｙ２方向）に延在している。
【０１６６】
コイルばね１５３Ａは、左方向（Ｙ１方向）の端部がローラ保持部材１５２に接続され、右方向（Ｙ２方向）の端部１５５Ａがケース本体２１に立設された取り付けピン１５６Ａに接続される。またコイルばね１５３Ｂは、右方向（Ｙ２方向）の端部がローラ保持部材１５２に接続され、左方向（Ｙ１方向）の端部１５５Ｂがケース本体２１に立設された取り付けピン１５６Ｂに接続される。
【０１６７】
また、ケース本体２１のローラ保持部材１５２及びコイルばね１５３Ａ，１５３Ｂと対向する位置には溝部１５７が形成されている。ローラ保持部材１５２及びコイルばね１５３Ａ，１５３Ｂは、後述するローラ１５１の移動時に溝部１５７に挿入されるよう構成されている。
【０１６８】
スイッチユニット４０Ｂがケース本体２１に取り付けられると、ローラ１５１はヨーク９１のフック部１０３と対向し、ローラ保持部材１５２及びコイルばね１５３Ａ，１５３Ｂは溝部１５７と対向し、係合部１５４Ａ，１５４Ｂは立設壁２８Ａ，２８Ｂと係合する。
【０１６９】
ローラ保持部材１５２及びコイルばね１５３Ａ，１５３Ｂは、略直線状に配置されている。そして、スイッチユニット４０Ｂをケース本体２１に装着した際、ローラ保持部材１５２及びコイルばね１５３Ａ，１５３Ｂはケース本体２１の手前側の側壁に沿った状態となる。
【０１７０】
なお、取り付けピン１５６Ａ，１５６Ｂの形成位置は、立設壁２８Ａ２８Ｂ及び傾斜壁２９Ａ，２９Ｂの形成位置よりも奥方向（Ｘ２方向）に偏移した位置とされている。また、スイッチユニット４０Ｂをケース本体２１に装着した時点で、コイルばね１５３Ａ，１５３Ｂは若干伸張されて弾性力が発生するよう構成されている。
【０１７１】
よって、スイッチユニット４０Ｂをケース本体２１に装着することにより、コイルばね１５３Ａ，１５３Ｂの弾性力により係合部１５４Ａ，１５４Ｂは立設壁２８Ａ，２８Ｂに押圧される。
【０１７２】
本実施形態に係る発電スイッチ１０Ｃにおいてスイッチ釦１５０を押圧操作すると、スイッチ釦１５０は係合部１５４Ａ，１５４Ｂを下方に向け押圧する。これによりローラ保持部材１５２は、コイルばね１５３Ａ，１５３Ｂを伸張させつつ下方（Ｚ２方向）に移動する。この際、コイルばね１５３Ａ，１５３Ｂは伸張されるため、コイルばね１５３Ａ，１５３Ｂには弾性力が蓄成される。
【０１７３】
ローラ保持部材１５２が下方に移動すると、ローラ１５１はフック部１０３と当接し、フック部１０３を下方に向け押圧する。これにより、ヨーク９１は操作前状態の水平位置から回転を行い、よって発電スイッチ１０Ｃは操作状態に切り替わる。
【０１７４】
更にスイッチ釦１５０を押圧すると、ローラ保持部材１５２の下方向への移動に伴い、係合部１５４Ａ，１５４Ｂは傾斜壁２９Ａ，２９Ｂに係合する。よって係合部１５４Ａ，１５４Ｂは傾斜壁２９Ａ，２９Ｂに案内されるため、ローラ１５１は手前方向（Ｘ１方向）に移動付勢される。
【０１７５】
そして、更にスイッチ釦１５０が押圧操作されることにより、ローラ１５１はフック部１０３から離脱する。これにより、ヨーク９１はばね部材９２に蓄成された弾性力により操作状態から過移動状態に瞬時に移動し、コイルユニット８０Ａ，８０Ｂで発電が行われる。その後、ローラ１５１はコイルばね１５３Ａ，１５３Ｂに蓄成された弾性力により、操作前状態の位置まで移動する。
【０１７６】
なお、ローラ１５１がフック部１０３から離脱する位置までスイッチ釦１５０を押圧操作した際、ローラ保持部材１５２及びコイルばね１５３Ａ，１５３Ｂはケース本体２１に形成された溝部１５７内に挿入される。このため、ローラ１５１がフック部１０３から離脱する位置まで、ローラ１５１を確実に移動させることができる。
【０１７７】
上記のように第３実施形態に係る発電スイッチ１０Ｃにおいても、第２実施形態に係る発電スイッチ１０Ｂと同様に、トップカバー２２の上部にスイッチ釦１５０のみが突出する構成となるため、トップカバー２２の上面の構成をコンパクト化することができる。
【０１７８】
また本実施形態に係る発電スイッチ１０Ｃでは、第２実施形態に係る発電スイッチ１０Ｂで必要とされたばねホルダ１３８Ａ，１３８Ｂが不要となるため、部品点数を削減することができる。
【０１７９】
更に、ローラ保持部材１５２及びコイルばね１５３Ａ，１５３Ｂがケース本体２１の手前側の側壁に沿って配設されるため、ケース本体２１内におけるスイッチユニット４０Ｂの配設スペースの省スペース化を図ることができる。
【０１８０】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【０１８１】
例えば、上記した第１実施形態では操作部材４２とフック部１０３とが係合する部分にローラ４６を設けた構成としたが、ローラ４６を設けることなく、操作部材４２がフック部１０３と直接係合する構成としてもよい。この際、操作部材４２がフック部１０３と係合する部位の形状を球面、湾曲面、傾斜面等とすることにより、操作部材４２がフック部１０３との係合性を向上させた構成としてもよい。
【符号の説明】
【０１８２】
１０Ａ〜１０Ｃ  発電スイッチ
２０  ケース
２１  ケース本体
２２  トップカバー
２３  ボトムカバー
２５  スイッチユニット装着部
２６Ａ，２６Ｂ  コイルユニット装着部
２７  磁石ユニット装着部
２８Ａ，２８Ｂ  立設壁
２９Ａ，２９Ｂ  傾斜壁
３０Ａ，３０Ｂ  軸受部
３３  アーム装着空間
４０，４０Ａ，４０Ｂ  スイッチユニット
４１  レバー部材
４２  操作部材
４３  連結シャフト
４４  ガイドシャフト
４６  ローラ
４７  捩じりばね
４８  コイルばね
４９  押圧部
５０Ａ，５０Ｂ  軸部
５１Ａ，５１Ｂ  軸承部
６０  ローラ装着部
６８Ａ，６８Ｂ  係合部
７３Ａ，７３Ｂ  巻回部
７４Ａ，７４Ｂ  端部
７５  連結部
８０Ａ，８０Ｂ  コイルユニット
８１Ａ，８１Ｂ    コイル
８２Ａ，８２Ｂ  コア
９０  磁石ユニット
９１  ヨーク
９２  ばね部材
９４〜９７  磁石ペア
９９  ばね固定部
１００  三角凹部
１０１，１０２  磁石装着部
１０３  フック部
１０５  ベース部
１０６  三角ばね部
１０７  ホルダ部
１１０  ヨーク駆動機構
１１４  ベース部材
１２０  回路基板
１３０  スイッチ釦
１３１  ローラ
１３２  ガイドシャフト
１３４Ａ，１３４Ｂ  コイルばね
１３８Ａ，１３８Ｂ  ばねホルダ
１３９Ａ，１３９Ｂ  ばね装着部
１４０Ａ，１４０Ｂ  爪部
１４１Ａ，１４１Ｂ  ホルダ装着部
１５０  スイッチ釦
１５１  ローラ
１５２  ローラ保持部材
１５３Ａ，１５３Ｂ  コイルばね
１５６Ａ，１５６Ｂ  取り付けピン
１５７Ａ，１５７Ｂ  傾斜溝
ＭＧＮ，ＭＧＳ  磁石
【図１】
0006558048.tif 000002
【図２】
0006558048.tif 000003
【図３】
0006558048.tif 000004
【図４】
0006558048.tif 000005
【図５】
0006558048.tif 000006
【図６】
0006558048.tif 000007
【図７】
0006558048.tif 000008
【図８】
0006558048.tif 000009
【図９】
0006558048.tif 000010
【図１０】
0006558048.tif 000011
【図１１】
0006558048.tif 000012
【図１２】
0006558048.tif 000013
【図１３】
0006558048.tif 000014
【図１４】
0006558048.tif 000015
【図１５】
0006558048.tif 000016
【図１６】
0006558048.tif 000017
【図１７】
0006558048.tif 000018
【図１８】
0006558048.tif 000019
【図１９】
0006558048.tif 000020
【図２０】
0006558048.tif 000021
【図２１】
0006558048.tif 000022
【図２２】
0006558048.tif 000023
【図２３】
0006558048.tif 000024